(57)【特許請求の範囲】
【請求項１】
天井、壁、棚等の照明器具取付部に取り付けられる器具本体と、
前記器具本体に取り付けられる固定部位を有し、かつ前記器具本体から浮かせた状態に保たれる浮部位を有する取付板と、
前記浮部位に設けられることにより、前記器具本体から浮かせた状態に取り付けられるＬＥＤ光源と、
を備え、
前記器具本体は、前記取付板の前記固定部位が取り付けられる部位から、前記照明器具取付部から離れる方向に突出する凹凸を有する放熱フィンを備え、かつ、前記放熱フィンの先端部の平坦面で、前記器具本体の、前記照明器具取付部とは反対側の表面が形成されるＬＥＤ照明器具。
【発明の詳細な説明】
【技術分野】
【０００１】
本発明は、天井、壁、棚等の照明器具取付部に器具本体が取り付けられ、器具本体にＬＥＤ光源が取り付けられたＬＥＤ照明器具に関する。
【背景技術】
【０００２】
図４に示すように、ＬＥＤ照明器具１００は、一般的に発光ダイオード（ＬＥＤ光源）１０１の温度等を考慮して熱抵抗を少なく抑えるために、器具本体（器具筐体）１０２に取り付けられている。
しかし、器具本体１０２にＬＥＤ光源１０１を直付けした場合、ＬＥＤ光源１０１が発生する熱でＬＥＤ取付面１０３の温度が、いわゆるヒートスポット現象で高くなることが考えられる。
【０００３】
すなわち、ＬＥＤ照明器具１００が取り付けられた照明器具取付部（棚や天井等）１０５の温度が上昇する。このため、例えば照明器具取付面１０５となる棚等に、化粧品などの熱に弱い商品を載置した場合、照明器具取付面１０５の温度が化粧品などに影響を与えることが考えられる。
【０００４】
ところで、ＬＥＤ照明器具のなかには、照明器具取付部（棚や天井等）に取付部材の取付面を取り付け、取付面から立ち上げた立上片に基板を取り付け、基板にＬＥＤ光源を実装することにより、ＬＥＤ光源を天井や壁などの照明器具取付部から浮かせた状態に取り付けるものが知られている（例えば、特許文献１参照）。
【０００５】
特許文献１のＬＥＤ照明器具によれば、ＬＥＤ光源から発生した熱を基板に伝導し、基板に伝導した熱を取付部材の立上片や取付面を経て照明器具取付部に放熱することが可能である。
加えて、ＬＥＤ光源から基板に伝導された熱を、照明器具取付部および基板間の空間に放熱することが可能である。
【先行技術文献】
【特許文献】
【０００６】
【特許文献１】特開２００５−７１７１１号公報（段落００１６、００１７、００２１、００２２、図３）
【発明の概要】
【発明が解決しようとする課題】
【０００７】
しかし、特許文献１のＬＥＤ照明器具は、ＬＥＤ光源から発生した熱を基板に伝導し、基板に伝導した熱を取付部材の立上片や取付面を経て照明器具取付部に放熱している。
このため、照明器具取付部（すなわち、棚や天井等）がＬＥＤ光源の熱で加熱されることが考えられる。
【０００８】
本発明は、前述した課題を解決するためになされたものであり、その目的は、ＬＥＤ照明器具を取り付ける照明器具取付部（すなわち、棚や天井等）にＬＥＤ光源の熱が伝導されることを抑えることができるＬＥＤ照明器具を提供することにある。
【課題を解決するための手段】
【０００９】
本発明は、天井、壁、棚等の照明器具取付部に取り付けられる器具本体と、前記器具本体に取り付けられる固定部位を有し、かつ前記器具本体から浮かせた状態に保たれる浮部位を有する取付板と、前記浮部位に設けられることにより、前記器具本体から浮かせた状態に取り付けられるＬＥＤ光源と、を備え、前記器具本体は、前記取付板の前記固定部位が取り付けられる部位から、前記照明器具取付部から離れる方向に突出する凹凸を有する放熱フィンを備え、かつ、前記放熱フィンの先端部の平坦面で、前記器具本体の、前記照明器具取付部とは反対側の表面が形成される。
【発明の効果】
【００１１】
本発明のＬＥＤ照明器具によれば、取付板の浮部位を器具本体から浮かせ、浮部位にＬＥＤ光源を設けて、ＬＥＤ光源を器具本体から浮かせた状態に保つことができる。
よって、ＬＥＤ光源から発生した熱を、浮部位から固定部位を経て器具本体に分散するとともに、浮部位および器具本体間の空間に放熱できる。
これにより、ＬＥＤ光源の近傍に集中して、いわゆるヒートスポット現象が生じることを防止できるという効果を有する。
【図面の簡単な説明】
【００１２】
【図１】本発明に係るＬＥＤ照明器具の第１実施形態を示す断面図
【図２】本発明に係るＬＥＤ照明器具の第２実施形態を示す断面図
【図３】本発明に係るＬＥＤ照明器具の第３実施形態を示す断面図
【図４】従来のＬＥＤ照明器具を示す断面図
【発明を実施するための形態】
【００１３】
以下、本発明の実施形態に係るＬＥＤ照明器具について図面を参照して説明する。
【００１４】
（第１実施形態）
図１に示すように、本発明の第１実施形態であるＬＥＤ照明器具１０は、照明器具取付部１１に取り付けられた器具本体１２と、器具本体１２に取り付けられた取付板１３と、取付板１３に取り付けられた基板１４と、基板１４に実装されたＬＥＤ光源（発光ダイオード）１５と、ＬＥＤ光源１５を覆うレンズ１６とを備えている。
【００１５】
照明器具取付部１１は、天井、壁、棚等が例示される。棚としては、化粧品等を陳列する陳列棚が例示される。
【００１６】
器具本体１２は、天井、壁、棚等の照明器具取付部１１に取り付けられる部材である。
器具本体１２は、照明器具取付部１１に沿って取り付けられるベース部２１と、ベース部２１の周縁から立ち上げられた周壁部２２と、周壁部２２の端部に設けられた支え部２３と、支え部２３の右半部に形成された開口部２４とを有している。
【００１７】
この器具本体１２は、ベース部２１、周壁部２２および支え部２３で箱形に形成されている。
周壁部２２は、右壁部位２２Ａの高さ寸法Ｈ１が左壁部位２２Ｂの高さ寸法Ｈ２に対して小さく形成されている。
支え部２３に取付板１３がビス２６で取り付けられている。
【００１８】
取付板１３は、器具本体１２の支え部２３に取り付けられた固定部位３１と、固定部位３１からベース部２１に向けて折り曲げられた段差部３２と、段差部３２の先端部３２Ａから傾斜状に折り曲げられた浮部位３３と、段差部３２の基端部３２Ｂから張り出されてレンズ１６を支える突片３４とを有する。
固定部位３１は、支え部２３のうち左側部位２３Ａの表面２３Ｂに下方（外側）から押し当てられた状態においてビス２６で固定されている。
【００１９】
固定部位３１の右端部から段差部３２がベース部２１に向けて略鉛直に折り曲げられている。
段差部３２の先端部３２Ａからベース部２１の右端部２１Ａに向けて浮部位３３が傾斜状に張り出されている。よって、浮部位３３は、器具本体１２のベース部２１から浮かせた状態に保たれている。
浮部位３３がベース部２１から浮かせた状態に保たれることにより、傾斜状の浮部位３３およびベース部２１間に浮空間（空間）３６が形成されている。
【００２０】
また、段差部３２の基端部３２Ｂから突片３４が張り出されている。この突片３４および浮部位３３間に、レンズ１６の周辺部１６Ａのうち左端部（以下、「左側レンズ周辺部」という）１６Ｂが受け入れられる。
これにより、左側レンズ周辺部１６Ｂを突片３４で支えることができる。
【００２１】
また、基板１４および支え部２３の右端部（以下、「右側支え部」という）２３Ｃ間に、レンズ１６の周辺部１６Ａのうち右端部（以下、「右側レンズ周辺部」という）１６Ｃが受け入れられる。
これにより、右側レンズ周辺部１６Ｃを右側支え部２３で支えることができる。
【００２２】
ところで、浮部位３３の表面には基板１４が設けられ、基板１４にＬＥＤ光源１５が実装されている。
浮部位３３に基板１４を介してＬＥＤ光源１５が設けられることにより、ＬＥＤ光源１５がベース部２１から浮かせた状態に取り付けられている。
【００２３】
よって、ＬＥＤ光源１５から発生した熱を取付板１３の浮部位３３から固定部位３１に伝導させて、固定部位３１に伝導した熱を器具本体１２（支え部２３のうち左側部位２３Ａ）に分散できる。
さらに、ＬＥＤ光源１５から発生した熱を浮部位３３およびベース部２１間の浮空間３６に放熱できる。
【００２４】
このように、ＬＥＤ光源１５から発生した熱を分散するとともに、浮部位３３およびベース部２１間の浮空間３６に放熱することにより、ＬＥＤ光源１５から発生した熱がＬＥＤ光源１５の近傍に集中することを防いで、いわゆるヒートスポット現象が生じることを防止できる。
【００２５】
加えて、固定部位３１が支え部２３（左側部位２３Ａ）の表面２３Ｂに下方（外側）から取り付けられることにより、固定部位３１が器具本体１２の外側に露出されている。
固定部位３１に伝導された熱を固定部位３１から器具本体１２の外側に対流により好適に放射させることができる。
【００２６】
これにより、例えば、固定部位３１の熱を支え部２３（左側部位２３Ａ）に好適に伝熱できない場合でも、ＬＥＤ光源１５から発生した熱がＬＥＤ光源１５の近傍に集中することを防いで、いわゆるヒートスポット現象が生じることを一層良好に防止できる。
【００２７】
次に、第２実施形態，第３実施形態を図２、図３に基づいて説明する。
なお、第２実施形態，第３実施形態において第１実施形態と同一・類似部材については同じ符号を付して説明を省略する。
【００２８】
（第２実施形態）
図２に示す第２実施形態のＬＥＤ照明器具５０は、第１実施形態の器具本体１２および取付板１３を器具本体５２および取付板５３に代えたもので、その他の構成は第１実施形態のＬＥＤ照明器具１０と同じである。
【００２９】
器具本体５２および取付板５３は、各部材がそれぞれ左右対称に形成されている。
器具本体５２は、照明器具取付部１１に沿って取り付けられるベース部５６と、ベース部５６の周縁から立ち上げられた周壁部５７と、周壁部５７の端部に設けられた左支え部５８および右支え部５９と、左支え部５８および右支え部５９間に形成された開口部６１とを有している。
【００３０】
この器具本体５２は、ベース部５６、周壁部５７、左支え部５８および右支え部５９で箱形に形成されている。
左支え部５８および右支え部５９に取付板５３がビス２６で取り付けられている。
【００３１】
取付板５３は、左支え部５８および右支え部５９にそれぞれ取り付けられた左固定部位（固定部位）６３および右固定部位（固定部位）６４と、左固定部位６３および右固定部位６４にそれぞれ設けられた左段差部６５および右段差部６６と、左段差部６５および右段差部６６に設けられた水平状の浮部位６７と、左段差部６５から張り出されてレンズ１６の左側レンズ周辺部１６Ｂを支える左突片６８と、右段差部６６から張り出されてレンズ１６の右側レンズ周辺部１６Ｃを支える右突片６９とを有する。
【００３２】
左固定部位６３は、左支え部５８の表面５８Ａに下方から押し当てられた状態においてビス２６で固定されている。
同様に、右固定部位６４は、右支え部５９の表面５９Ａに下方から押し当てられた状態においてビス２６で固定されている。
【００３３】
この状態に置いて、浮部位６７は、器具本体５２のベース部５６から浮かせた状態に保たれている。
浮部位６７がベース部５６から浮かせた状態に保たれることにより、水平状の浮部位６７およびベース部５６間に浮空間（空間）７２が形成されている。
【００３４】
よって、ＬＥＤ光源１５から発生した熱を取付板５３の浮部位６７から左固定部位６３および右固定部位６４に伝導させて、左固定部位６３および右固定部位６４に伝導した熱を器具本体５２（左支え部５８および右支え部５９）に分散できる。
さらに、ＬＥＤ光源１５から発生した熱を浮部位６７およびベース部５６間の浮空間７２に放熱できる。
【００３５】
このように、ＬＥＤ光源１５から発生した熱を分散するとともに、浮部位６７およびベース部５６間の浮空間７２に放熱することにより、ＬＥＤ光源１５から発生した熱がＬＥＤ光源１５の近傍に集中することを防いで、いわゆるヒートスポット現象が生じることを防止できる。
【００３６】
加えて、左固定部位６３が左支え部５８の表面５８Ａに下方から取り付けられるとともに、右固定部位６４が右支え部５９の表面５９Ａに下方から取り付けられている。
すなわち、左固定部位６３および右固定部位６４が器具本体１２の外側に露出されている。
【００３７】
よって、左固定部位６３および右固定部位６４に伝導された熱を左固定部位６３および右固定部位６４から器具本体１２の外側に対流により好適に放射させることができる。
これにより、例えば、左固定部位６３および右固定部位６４の熱を左固定部位６３が左支え部５８に好適に伝熱できない場合でも、ＬＥＤ光源１５から発生した熱がＬＥＤ光源１５の近傍に集中することを防いで、いわゆるヒートスポット現象が生じることを一層良好に防止できる。
【００３８】
すなわち、第２実施形態のＬＥＤ照明器具５０によれば、第１実施形態のＬＥＤ照明器具１０と同様の効果を得ることができる。
【００３９】
（第３実施形態）
図３に示す第３実施形態のＬＥＤ照明器具８０は、第２実施形態の器具本体５２および取付板５３を器具本体８２および取付板８３に代えたもので、その他の構成は第２実施形態のＬＥＤ照明器具５０と同じである。
【００４０】
器具本体８２は、第２実施形態の器具本体５２の左支え部５８および右支え部５９に左放熱板（放熱板）８５および右放熱板（放熱板）８６を有するもので、その他の構成は第２実施形態の器具本体５２と同じである。
左放熱板８５は、左支え部（左固定部位９２が取り付けられた部位）５８から突出され先端部で器具本体８２の左表面（表面）８２Ａが形成されている。
右放熱板８５は、右支え部（右固定部位９３が取り付けられた部位）５９から突出され先端部で器具本体８２の右表面（表面）８２Ｂが形成されている。
【００４１】
取付板８３は、左支え部５８および右支え部５９にそれぞれ取り付けられた左固定部位（固定部位）９２および右固定部位（固定部位）９３と、左固定部位９２および右固定部位９３間に設けられた水平状の浮部位９４とを有する。
この取付板８３は、左固定部位９２、右固定部位９３および浮部位９４で平板状に形成されている。
【００４２】
左固定部位９２および右固定部位９３は、器具本体８２の内側から左支え部５８の裏面５８Ｂおよび右支え部５９の裏面５９Ｂにそれぞれ押し当てられた状態においてビス２６で固定されている。
この状態に置いて、浮部位９４は、器具本体８２のベース部５６から浮かせた状態に保たれている。
浮部位９４がベース部５６から浮かせた状態に保たれることにより、水平状の浮部位９４およびベース部５６間に浮空間（空間）９６が形成されている。
【００４３】
よって、ＬＥＤ光源１５から発生した熱を取付板８３の浮部位９４から左固定部位９２および右固定部位９３に伝導させて、左固定部位９２および右固定部位９３に伝導した熱を器具本体８２（左支え部５８および右支え部５９）に分散できる。
さらに、ＬＥＤ光源１５から発生した熱を浮部位９４およびベース部５６間の浮空間９６に放熱できる。
【００４４】
このように、ＬＥＤ光源１５から発生した熱を分散するとともに、浮部位９４およびベース部５６間の浮空間９６に放熱することにより、ＬＥＤ光源１５から発生した熱がＬＥＤ光源１５の近傍に集中することを防いで、いわゆるヒートスポット現象が生じることを防止できる。
【００４５】
すなわち、第３実施形態のＬＥＤ照明器具８０によれば、第２実施形態のＬＥＤ照明器具５０と同様の効果を得ることができる。
【００４６】
加えて、左支え部５８の左放熱板（放熱フィン）８５で放熱面積を大きく確保するとともに右支え部５９の右放熱板（放熱フィン）８６で放熱面積を大きく確保できる。
よって、左支え部５８および右支え部５９の放熱効率を高めることができ、左固定部位９２および右固定部位９３から左支え部５８および右支え部５９に伝導された熱を左放熱板８５および右放熱板８５からを好適に放射させることができる。
これにより、ＬＥＤ光源１５から発生した熱がＬＥＤ光源１５の近傍に集中することを防いで、いわゆるヒートスポット現象が生じることを一層良好に防止できる。
【００４７】
また、左放熱板８５の先端部で器具本体８２の左表面８２Ａを形成し、右放熱板８５の先端部で器具本体８２の右表面８２Ｂを形成することにより、左表面８２Ａおよび右表面８２Ｂに他の部材を取り付けることができる。
これにより、ＬＥＤ照明器具８０の用途の拡大を図ることができる。
【００４８】
なお、本発明に係るＬＥＤ照明器具は、前述した第１実施形態〜第３実施形態に限定されるものではなく適宜変更、改良等が可能である。
例えば、第１実施形態〜第３実施形態で使用したＬＥＤ照明器具、照明器具取付部、器具本体、取付板、基板、ＬＥＤ光源、固定部位、浮部位、左支え部、右支え部、左固定部位、右固定部位、左放熱板および右放熱板等の形状や構成は例示したものに限定するものではなく適宜変更が可能である。
【符号の説明】
【００４９】
１０，５０，８０  ＬＥＤ照明器具
１１  照明器具取付部
１２，５２，８２  器具本体
１３，５３，８３  取付板
１４  基板
１５  ＬＥＤ光源（発光ダイオード）
３１  固定部位
３３，６７，９４  浮部位
５８  左支え部（左固定部位９２が取り付けられた部位）
５９  右支え部（右固定部位９３が取り付けられた部位）
６３，９２  左固定部位（固定部位）
６４，９３  右固定部位（固定部位）
８２Ａ  器具本体の左表面（表面）
８２Ｂ  器具本体８２の右表面（表面）
８５  左放熱板（放熱板）
８６  右放熱板（放熱板）
【図１】
0005595183.tif 000002
【図２】
0005595183.tif 000003
【図３】
0005595183.tif 000004
【図４】
0005595183.tif 000005